(57)【特許請求の範囲】
【請求項１】
表示装置に表示した色度図上で出力光の色を指定する指定手段と、
前記指定手段で指定した色に対応する前記色度図上の座標値に基づいて、前記出力光の分光分布の中心波長及び広がりを特定する特定手段と、
前記特定手段によって特定された前記中心波長及び前記広がりから第１の分光分布関数または第２の分光分布関数を用いて前記出力光の分光分布を演算する演算手段と、
光源から照射される光を各波長成分に分光する分光手段と、
前記演算手段で演算した前記出力光の分光分布に基づいて、前記分光手段によって分光された各波長成分の光を前記出力光の各波長成分の光に変調する変調手段と、
前記変調手段で変調した前記出力光の各波長成分の光を合成する合成手段と、
前記合成手段で合成した光を前記出力光として出力する出力手段と、を備え、
前記演算手段は、前記指定手段によって前記出力光の色として前記色度図の第１の領域内の色が指定された場合には、前記第１の分光分布関数を用いて前記出力光の分光分布を演算し、前記指定手段によって前記出力光の色として前記色度図の第２の領域内の色が指定された場合には、前記第２の分光分布関数を用いて前記出力光の分光分布を演算することを特徴とする照明装置。
【請求項２】
請求項１に記載の照明装置において、
前記第１の分光分布関数は、前記中心波長及び前記広がりを定数として含む単一の関数であり、
前記第２の分光分布関数は、第１の中心波長及び前記広がりを定数として含む単一の関数と、第２の中心波長及び前記広がりを定数として含む単一の関数とを加算する関数であることを特徴とする照明装置。
【請求項３】
請求項１または２に記載の照明装置において、
前記第１及び第２の分光分布関数は、窓関数であることを特徴とする照明装置。
【請求項４】
請求項１〜３のいずれか一項に記載の照明装置において、
前記分光分布の中心波長と広がりとを前記色度図上の座標値と関連付けて記録する記録手段をさらに備え、
前記特定手段は、前記記録手段に記録されている情報を参照して、前記指定された色を表す分光分布の中心波長と広がりとを特定することを特徴とする照明装置。
【請求項５】
請求項１〜４のいずれか一項に記載の照明装置において、
前記演算手段による演算結果を前記表示装置に表示する表示制御手段をさらに備えることを特徴とする照明装置。
【発明の詳細な説明】
【技術分野】
【０００１】
本発明は、照明装置に関する。
【背景技術】
【０００２】
次のような光源装置が知られている。この光源装置では、指定された分光分布を実現するために各波長成分の減光量を計算する。そして、計算した減光量に基づいてマイクロミラーの傾斜角を算出し、算出した傾斜角に基づいてマイクロミラーを制御することにより、所望のスペクトル分布の光を照射する（例えば、特許文献１）。
【先行技術文献】
【特許文献】
【０００３】
【特許文献１】特開２００６−１８４２３４号公報
【発明の概要】
【発明が解決しようとする課題】
【０００４】
従来の光源装置では、ユーザは、例えば、画面上に表示されたイコライザを操作することにより、色度図上で照射する光の色を確認しながら照射する光の分光分布を決定するのが一般的であり、ユーザが色度図上で照射したい色を指定して分光分布を決定できるような装置は存在していなかった。
【課題を解決するための手段】
【０００５】
請求項１の発明による照明装置は、表示装置に表示した色度図上で出力光の色を指定する指定手段と、前記指定手段で指定した色に対応する前記色度図上の座標値に基づいて、前記出力光の分光分布の中心波長及び広がりを特定する特定手段と、前記特定手段によって特定された前記中心波長及び前記広がりから第１の分光分布関数または第２の分光分布関数を用いて前記出力光の分光分布を演算する演算手段と、光源から照射される光を各波長成分に分光する分光手段と、前記演算手段で演算した前記出力光の分光分布に基づいて、前記分光手段によって分光された各波長成分の光を前記出力光の各波長成分の光に変調する変調手段と、前記変調手段で変調した前記出力光の各波長成分の光を合成する合成手段と、前記合成手段で合成した光を前記出力光として出力する出力手段と、を備え、前記演算手段は、前記指定手段によって前記出力光の色として前記色度図の第１の領域内の色が指定された場合には、前記第１の分光分布関数を用いて前記出力光の分光分布を演算し、前記指定手段によって前記出力光の色として前記色度図の第２の領域内の色が指定された場合には、前記第２の分光分布関数を用いて前記出力光の分光分布を演算することを特徴とする。
【発明の効果】
【０００６】
本発明によれば、ユーザは、色度図上で照射したい色を指定して、分光分布を決定することができる。
【図面の簡単な説明】
【０００７】
【図１】照明装置の一実施の形態の構成を示すブロック図である。
【図２】光源装置１００の一実施の形態の構成を示すブロック図である。
【図３】光源制御装置２００の一実施の形態の構成を示すブロック図である。
【図４】色度図上での光の色の指定例を示す図である。
【図５】制御装置２０３によって実行される処理の流れを示すフローチャート図である。
【図６】色度座標値と、中心波長と広がりとを関連付けたテーブルの具体例を示す図である。
【図７】色度座標値と、中心波長と広がりとを関連付けたテーブルの作成方法の具体例を示す図である。
【図８】色度図上の２つの分光分布を加算する必要がある領域を示す図である。
【図９】２つの分光分布を加算した場合の具体例を示す図である。
【図１０】窓関数の具体例を示す図である。
【発明を実施するための形態】
【０００８】
図１は、本発明の実施の形態における照明装置の一実施の形態の構成を示すブロック図である。照明装置１０は、光源を備えた光源装置１００と光源装置１００を制御する光源制御装置２００とで構成される。光源装置１００と光源制御装置２００とは、有線通信または無線通信により接続され、両者間でデータの送受信を行うことができる。
【０００９】
図２は、光源装置１００の一実施の形態の構成を示すブロック図である。光源装置１００は、白色光源１０１と、リレーレンズ１０２と、偏光ビームスプリッタ１０３と、リレーレンズ１０４と、コリメータレンズ１０５と、グレーティング１０６と、カメラレンズ１０７と、反射型液晶素子アレイデバイス（空間変調素子）１０８と、空間変調素子ドライバ１０９と、コンデンサーレンズ１１０と、入出射スリット１１１と、迷光用カットスリット１１２と、ライトガイド１１３とを備えている。
【００１０】
白色光源１０１としては、例えばキセノンランプやハロゲンランプ等が用いられる。白色光源１０１からリレーレンズ１０２の前側焦点位置に入射された光は、リレーレンズ１０２で略平行な光にコリメートされ偏光ビームスプリッタ１０３に入力される。
【００１１】
偏光ビームスプリッタ１０３に入射された光は、電場ベクトルが図２の紙面に略平行方向で光軸に直交する方向の直線偏光だけが偏光ビームスプリッタ１０３を通過して、リレーレンズ１０４で入出射スリット１１１の開口部に集光される。ここで、リレーレンズ１０２、偏光ビームスプリッタ１０３、リレーレンズ１０４、及び後述するコンデンサーレンズ１１０で偏光分岐光学系を構成している。なお、入出射スリット１１１は、図２の紙面に略垂直な方向に略長方形の開口が形成されている。
【００１２】
入出射スリット１１１の開口部から射出した光は、コリメータレンズ１０５で略平行な光にコリメートされ、波長分散作用を有するグレーティング１０６に入射し、カメラレンズ１０７でスペクトラム像を形成する。コリメータレンズ１０５、グレーティング１０６、及びカメラレンズ１０７で波長分散型分光光学系が構成されている。そして、スペクトラム像ができる位置に空間変調素子である反射型液晶素子アレイデバイス１０８が配設されている。
【００１３】
反射型液晶素子アレイデバイス１０８は、液晶層１０８ｂと、液晶層１０８ｂを挟んで入射側にウェッジ形状を有するカバーガラス１０８ａと、液晶層１０８ｂに対してカバーガラス１０８ａと対向する位置に平面ミラー１０８ｃが配置されている。液晶層１０８ｂはカバーガラス１０８ａと平面ミラー１０８ｃの間に密閉されている。なお、カバーガラス１０８ａの外部に接した面における表面反射以外の反射光強度は実用上無視できる。また、カバーガラス１０８ａは、ガラス以外であっても透明媒質からなるものであれば使用可能である。
【００１４】
図２では図示していないが、反射型液晶素子アレイデバイス１０８は、独立制御される変調素子である複数の液晶素子が1次元的に配列されており、配列の方向はスペクトラム像の波長分散方向である図２の紙面に垂直な方向に一致している。
【００１５】
反射型液晶素子アレイデバイス１０８の１次元に配列された個々の液晶素子は空間変調素子ドライバ１０９によってそれぞれ独立に制御され、個々の液晶素子内を往復する光は素子毎に異なるリターデーションが付加される。なお、空間変調素子ドライバ１０９は、光源制御装置２００と有線または無線で接続され、光源制御装置２００からの制御信号に基づいて液晶素子を制御する。
【００１６】
反射型液晶素子アレイデバイス１０８から射出した光は素子毎に、すなわち波長要素毎に異なる楕円偏光になる。反射型液晶素子アレイデバイス１０８で楕円偏光化された光は、カメラレンズ１０７、グレーティング１０６、およびコリメータレンズ１０５と波長分散型分光光学系内を進行する過程で波長合波作用を受け、入出射スリット１１１の開口部に集光される。
【００１７】
入出射スリット１１１の開口部から射出した光は、リレーレンズ１０４でコリメートされ、偏光ビームスプリッタ１０３に入射する。偏光ビームスプリッタ１０３の偏光分離部は、入射光の電場ベクトルと直交する方向の直線偏光を反射し、コンデンサーレンズ１１０によって後側焦点位置に集光される。コンデンサーレンズ１１０によって集光された光は、迷光用カットスリット１１２へ入射し、ライトガイド１１３を介して外部に導出することができ、これにより光源装置１００から光が照射される。
【００１８】
光源制御装置２００としては、図３に示すパーソナルコンピュータ（パソコン）が用いられる。光源制御装置２００は、操作部材２０１と、接続ＩＦ（インターフェース）２０２と、制御装置２０３と、ＨＤＤ（ハードディスクドライブ）２０４と、モニタ２０５とを備えている。
【００１９】
操作部材２０１は、使用者によって操作される種々の装置、例えばキーボードやマウスを含む。接続ＩＦ２０２は、上記光源装置１００を接続するためのインターフェースであって、例えば光源装置１００を光源制御装置２００と有線接続を行うためのＵＳＢインターフェースや、無線接続を行うための無線ＬＡＮモジュールなどが使用される。
【００２０】
制御装置２０３は、ＣＰＵ、メモリ、およびその他の周辺回路によって構成され、光源制御装置２００の全体を制御する。なお、制御装置２０３を構成するメモリは、例えばＳＤＲＡＭ等の揮発性のメモリである。このメモリは、ＣＰＵがプログラム実行時にプログラムを展開するためのワークメモリとして使用されたり、データを一時的に記録するためのバッファメモリとして使用される。
【００２１】
ＨＤＤ２０４は、接続ＩＦ２０２を介して取り込まれた制御装置２０３で実行される種々のプログラム等を記録するための記録装置である。例えば、ＨＤＤ２０４には、後述する処理を実行するためのプログラムのデータが記録される。このプログラムは、ＣＤ−ＲＯＭやＤＶＤ−ＲＯＭなどの記憶媒体に記録されて提供される。パソコン２００においては、使用者が記憶媒体を用いてプログラムのデータをＨＤＤ２０４にインストールすることによって、制御装置２０３がプログラムを実行できるようになる。
【００２２】
モニタ２０５は、例えば液晶モニタであって、制御装置２０３から出力される表示用データの画像を表示する。
【００２３】
本実施の形態における照明装置１０では、使用者は、光源制御装置２００を操作することにより、光源装置１００から照射する光、すなわち出力光の色を指定することができ、光源装置１００からは、使用者によって指定された色の光が照射される。以下、使用者による光源制御装置２００を用いた照射光の色の指定方法、および使用者によって指定された色の光を光源装置１００から照射するための処理の内容について説明する。
【００２４】
光源制御装置２００においては、制御装置２０３は、図４に示すように、使用者が光源装置１００から照射する光の色を指定するための色度図４ａと、色度図４ａ上で指定された色の光の分光分布特性４ｂとをモニタ２０５上に表示する。使用者は、色度図４ａ上で光源装置１００から照射する光の色を指定することができる。例えば、使用者は、操作部材２０１に含まれるマウスを操作して、色度図４ａ上で指定したい色を示す点４ｃをクリックすることによって、光の色を指定することができる。
【００２５】
制御装置２０３は、使用者によって色度図４ａ上の点が指定された場合には、図５に示す処理を実行することによって、色度図４ａ上で指定された点に応じた色の光の分光分布を演算し、その特性、すなわち分光分布特性４ｂをモニタ２０５上に表示するとともに、光源装置１００から当該分光分布の光を照射する。
【００２６】
ステップＳ１０において、制御装置２０３は、使用者によって色度図４ａ上で指定された点の色度座標値（ｘ，ｙ）を特定して、ステップＳ２０へ進む。なお、本実施の形態では、制御装置２０３は、ステップＳ１０で特定した色度座標値（ｘ，ｙ）に基づいて、次式（１）に示す確率密度関数を用いて光源装置１００から照射する光の分光分布ｆ（λ）を演算する。このために制御装置２０３は、ステップＳ２０において、特定した色度座標値（ｘ，ｙ）に基づいて、次式（１）における平均値として分光分布の中心波長ｗを特定し、標準偏差として分光分布の広がりσを特定する。
【数１】
0005625285.tif 000002
【００２７】
具体的には、図６に示すように、色度座標値（ｘｉ，ｙｉ）と、中心波長ｗと広がりσとを関連付けたテーブルをあらかじめ作成してＨＤＤ２０４を記録しておき、制御装置２０３は、このテーブルを参照して特定した色度座標値（ｘ，ｙ）に対応した中心波長ｗと広がりσとを特定する。
【００２８】
ここで、図６に示すテーブルに格納するデータ、すなわち色度座標値（ｘｉ，ｙｉ）に応じた中心波長ｗと広がりσとの算出方法について説明する。なお、ここでは、この図６に示すテーブルは、光源制御装置２００を用いて作成されるものとし、テーブル作成のための処理は、制御装置２０３によって実行されるものとするが、図６に示すテーブルは、他の装置であらかじめ作成して、ＨＤＤ２０４に記録しておくようにしてもよい。
【００２９】
制御装置２０３は、上記式（１）により定義される分光分布ｆ（λ）を用いて、次式（２）〜（４）により、３刺激値Ｘ、Ｙ、Ｚを算出する。なお、次式（２）〜（４）において、Ｋは比例係数であり、ｘ（λ）、ｙ（λ）、ｚ（λ）はそれぞれ等色関数である。
【数２】
0005625285.tif 000003
【数３】
0005625285.tif 000004
【数４】
0005625285.tif 000005
【００３０】
そして、制御装置２０３は、上記式（２）〜（４）により算出した３刺激値Ｘ、Ｙ、Ｚに基づいて、色度図の色度座標値（ｘ，ｙ）を次式（５）〜（７）により算出する。
【数５】
0005625285.tif 000006
【数６】
0005625285.tif 000007
【数７】
0005625285.tif 000008
【００３１】
制御装置２０３は、横座標をｘ、縦座標をｙとしたテーブルを用意し、分光分布の中心波長ｗと広がりσとの組み合わせ（ｗｉ，σｉ）において、ｗｉとσｉとの値を順次変えながら、式（１）〜式（６）を用いて、各（ｗｉ，σｉ）に対する（ｘｉ，ｙｉ）を算出し、算出した値をテーブルの（ｘｉ，ｙｉ）の位置に書き込んでいく。
【００３２】
このとき、制御装置２０３は、中心波長ｗｉは固定したまま、広がりσｉを変えながら（ｘｉ，ｙｉ）を算出してテーブルを埋めていくようにし、これを各中心波長ｗｉについて繰り返すことにより、分光分布の中心波長ｗと広がりσとの組み合わせ（ｗｉ，σｉ）の全範囲についてテーブルを埋めることができる。
【００３３】
具体的には、図７（ａ）に示すように、中心波長をｗｂに固定して、広がりをσ１，σ２，σ３と変化させていくと、色度図上では破線７ｂに示す軌跡を通る。この場合、図７（ｂ）に示すように、中心波長をｗｂ、広がりをσ１とした分光分布７ｆ、中心波長をｗｂ、広がりをσ２とした分光分布７ｇ、中心波長をｗｂ、広がりをσ３とした分光分布７ｈのそれぞれについて、テーブルを埋めることができる。
【００３４】
また、図７（ａ）に示すように、中心波長をｗｄに固定して、広がりをσ４，σ５，σ６と変化させていくと、色度図上では破線７ｄに示す軌跡を通る。この場合、図７（ｃ）に示すように、中心波長をｗｄ、広がりをσ４とした分光分布７ｉ、中心波長をｗｄ、広がりをσ５とした分光分布７ｊ、中心波長をｗｄ、広がりをσ６とした分光分布７ｋのそれぞれについて、テーブルを埋めることができる。
【００３５】
また、中心波長ｗｉをｗａに固定して広がりを変化させた場合には、色度図上では破線７ａに示す軌跡を通り、中心波長ｗｉをｗｃに固定して広がりを変化させた場合には、色度図上では破線７ｃに示す軌跡を通り、中心波長ｗｉをｗｅに固定して広がりを変化させた場合には、色度図上では破線７ｅに示す軌跡を通る。
【００３６】
なお、色度図においては、図８に示す領域８ａ内の色の光については、式（１）を用いて分光分布ｆ（λ）を演算することができるが、領域８ｂ内の色の光については、式（１）だけでは分光分布ｆ（λ）を演算することができない。これは、例えば、図９（ａ）に示す領域８ｂ内の点９ａが示す色の光の分光分布は、図９（ｂ）に示すように、２つの分光分布の加算により算出が可能であるためである。このため、領域８ｂ内の色の光については、上記式（１）〜式（６）を用いて（ｘｉ，ｙｉ）を算出することができず、テーブルを埋めることができない。
【００３７】
この場合には、制御装置２０３は、２つの確率密度関数を加算することにより分光分布を演算する必要があるため、式（１）に代えて次式（８）を用い、式（８）および式（２）〜（６）を用いて（ｘｉ，ｙｉ）を算出することにより、テーブルを埋めることができる。
【数８】
0005625285.tif 000009
【００３８】
例えば、本実施の形態では、式（８）において、第１の中心波長ｗ１を青色の中心波長である４２０ｍｍとし、第２の中心波長ｗ２を赤色の中心波長である６８０ｍｍとして、式（１）のｗの代わりに式（８）のαを順次変えて、分光分布ｆ（λ）を算出する。
【００３９】
なお、図６においては、データが書き込まれていない（ｘｉ，ｙｉ）が存在するが、これらの（ｘｉ，ｙｉ）にも、（ｗｉ，σｉ）を変えながら上記処理を繰り返すことにより値が書き込まれていき、最終的に全ての（ｘｉ，ｙｉ）についてデータが書き込まれるとテーブルが完成する。
【００４０】
制御装置２０３は、このようにしてあらかじめ作成しておいたテーブルを参照することにより、特定した色度座標値（ｘ，ｙ）に基づいて、分光分布の中心波長ｗと分光分布の広がりσとを特定することができる。
【００４１】
その後、ステップＳ３０へ進み、制御装置２０３は、ステップＳ２０で特定した中心波長ｗと広がりσとに基づいて、上記式（１）または式（８）を用いて、色度図４ａ上で使用者によって指定された色の光の分光分布ｆ（λ）を演算する。すなわち、制御装置２０３は、色度図４ａ上で使用者によって図８に示した領域８ａ内の点が指定された場合には、式（１）を用いて分光分布ｆ（λ）を演算する。一方、制御装置２０３は、色度図４ａ上で使用者によって図８に示した領域８ｂ内の点が指定された場合には、式（８）を用いて分光分布ｆ（λ）を演算する。その後、ステップＳ４０へ進む。
【００４２】
ステップＳ４０では、制御装置２０３は、ステップＳ３０で演算した分光分布ｆ（λ）を示す分光分布特性４ｂをモニタ２０５上に表示する。このとき、制御装置２０４は、図４に示したように、色度図４ａと分光分布特性４ｂとを並べて表示することにより、使用者は、自ら選択した色とその結果演算された分光分布特性とを見比べることが可能となる。
【００４３】
その後、ステップＳ５０へ進み、制御装置２０３は、ステップＳ４０で演算した分光分布のデータを光源装置１００へ出力することにより、光源装置１００の空間変調素子ドライバ１０９を制御して、ステップＳ４０で演算した分光分布の光を光源装置１００から照射し、処理を終了する。以上の処理により、使用者が光源制御装置２００を操作して色度図上で指定した色の光を光源装置１００から照射することができる。
【００４４】
以上説明した本実施の形態によれば、以下のような作用効果を得ることができる。
（１）照明装置１０では、光源制御装置２００で使用者によって色度図４ａ上で指定された色の情報に基づいて、出力光の分光分布を演算し、演算した分光分布に基づいて、光源装置１００から使用者によって指定された色の光を照射するようにした。これによって、使用者は、色度図上で色を指定するだけで良いため、光源装置１００から照射したい光の色を容易に指定することができる。
【００４５】
（２）制御装置２０３は、色度図上で指定された色に対応する色度座標値を特定し、特定した色度座標値に基づいて、指定された色を表す分光分布の中心波長と広がりとを特定するようにした。そして、中心波長を平均値とし、広がりを標準偏差として、確率密度関数を用いて出力光の分光分布を演算するようにした。これによって、使用者によって指定された色の光の分光分布を公知の確率密度関数を用いて容易に算出することができる。
【００４６】
（３）制御装置２０３は、分光分布の中心波長と広がりとを色度座標値と関連付けてテーブルに記録しておき、使用者によって色度図上で色が指定された場合には、当該テーブルを参照して、指定された色を表す分光分布の中心波長と広がりとを特定するようにした。これによって、あらかじめ作成したテーブルの情報を参照することにより、容易に分光分布の中心波長と広がりとを特定することができる。
【００４７】
（４）制御装置２０３は、分光分布の演算結果をモニタ２０５上に表示するようにした。これによって、使用者は、指定した色の光の分光分布特性をモニタ２０５上で確認することができる。
【００４８】
―変形例―
なお、上述した実施の形態の照明装置は、以下のように変形することもできる。
（１）上述した実施の形態では、制御装置２０３は、式（１）または式（８）に示す確率密度関数を用いて光源装置１００から照射する光の分光分布ｆ（λ）を演算する例について説明した。しかしながら、制御装置２０３は、次式（９）に示すような正規分布の分布関数を用いて光源装置１００から照射する光の分光分布ｆ（λ）を演算してもよい。
【数９】
0005625285.tif 000010
【００４９】
あるいは、次式（１０）および図１０（ａ）に示すような矩形窓関数や、次式（１１）および図１０（ｂ）に示すような三角窓関数を用いて光源装置１００から照射する光の分光分布ｆ（λ）を演算するようにしてもよい。次式（１０）および次式（１１）では、中心波長ｗを中心値とし、広がりσを幅とし、これらをパラメータとした窓関数を用いて出力光の分光分布を演算している。なお、窓関数とは、ある有限区間以外で０となる関数をいい、式（１）と式（８）に示した確率密度関数、式（９）に示した正規分布の分布関数、およびガウス窓等も窓関数に含まれる。
【数１０】
0005625285.tif 000011
【数１１】
0005625285.tif 000012
【００５０】
（２）上述した実施の形態では、制御装置２０３は、色度図４ａ上で使用者によって図８に示した領域８ａ内の点が指定された場合には、式（１）を用いて分光分布ｆ（λ）を演算するようにし、色度図４ａ上で使用者によって図８に示した領域８ｂ内の点が指定された場合には、式（８）を用いて分光分布ｆ（λ）を演算するようにした。しかしながら、以下の方法により式（１）を使用するか、式（８）を使用するかを判断するようにしてもよい。すなわち、制御装置２０３は、式（１）を用いて算出した（ｘｉ，ｙｉ）と、式（８）を用いて算出した（ｘｉ，ｙｉ）とをテーブル内において区別するために、式（８）を用いて算出した（ｘｉ，ｙｉ）の位置には、σｉに「−」の符号を付けてテーブルに書き込んでおく。そして、制御装置２０３は、テーブルを参照して色度座標値（ｘｉ，ｙｉ）に対応する中心波長ｗと広がりσとの組み合わせ（ｗｉ，σｉ）を特定した際に、特定したσｉに「−」が付いている場合には式（８）を用いるようにし、それ以外の場合には式（１）を用いるようにしてもよい。
【００５１】
（３）上述した実施の形態では、図６に示すテーブルは、横座標をｘ、縦座標をｙとした（ｘ，ｙ）色度図に対応したテーブルであったが、これに限定されず、横座標をｕ、縦座標をｖとした（ｕ，ｖ）色度図や、横座標をｕ´、縦座標をｖ´とした（ｕ´，ｖ´）色度図に対応したテーブルとしてもよい。
【００５２】
（４）上述した実施の形態では、使用者は色度図４ａ上である１点を指定することによって色を指定する例について説明した。しかしながら、使用者は直接色度座標値を入力することによって色を指定するようにしてもよい。また、色度座標の代わりにＲＧＢ値を入力し、制御装置２０３が入力されたＲＧＢ値を色度座標値に変換するようにしてもよい。
【００５３】
（５）上述した実施の形態では、光源装置１００は、反射型液晶素子アレイデバイス１０８により各波長成分の光を変更する例について説明した。しかしながら、特開２００６−１８４２３４号公報に記載されている光源装置のように、マイクロミラーを用いて各波長成分の光を減光するようにしてもよい。
【００５４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００５５】
１０  照明装置、１００  光源装置、１０１  白色光源、１０２、１０４  リレーレンズ、１０３  偏光ビームスプリッタ、１０５  コリメータレンズ、１０６  グレーティング、１０７  カメラレンズ、１０８  反射型液晶素子アレイデバイス（空間変調素子）、１０９  空間変調素子ドライバ、１１０  コンデンサーレンズ、１１１  入出射スリット、１１２  迷光用カットスリット、１１３  ライトガイド、２００  光源制御装置、２０１  操作部材、２０２  接続ＩＦ（インターフェース）、２０３  制御装置、２０４  ＨＤＤ（ハードディスクドライブ）、２０５  モニタ
【図１】
0005625285.tif 000013
【図２】
0005625285.tif 000014
【図３】
0005625285.tif 000015
【図４】
0005625285.tif 000016
【図５】
0005625285.tif 000017
【図６】
0005625285.tif 000018
【図７】
0005625285.tif 000019
【図８】
0005625285.tif 000020
【図９】
0005625285.tif 000021
【図１０】
0005625285.tif 000022